(57)【特許請求の範囲】
【請求項１】
釣り針を保持する釣り針保持具と、釣り糸を保持する釣り糸保持具とを備え、前記釣り針の針先及び中間部を挿入して保持する平面状のスリットを備えた一対の挟着板により前記釣り針保持具を構成し、前記釣り糸を挟入することにより弾性変形される一対の板材又は棒材よりなる釣り糸挟着片により前記釣り糸保持具を構成し、前記挟着板のスリットの延長平面上に前記両釣り糸挟着片を位置させた釣り針と釣り糸の止着用治具。
【請求項２】
請求項１において、前記両挟着板と両釣り糸挟着片は、支持板に対し支柱及び軸受を介して回転可能に支持された回転軸に支持されている釣り針と釣り糸の止着用治具。
【発明の詳細な説明】
【０００１】
【発明の属する技術分野】
本発明は、釣り針と釣り糸の止着用治具に係わり、詳しくは釣り針の先端部を保持した状態で、釣り針の基端部に釣り糸を沿わせて、釣り針と釣り糸を手作業で止着する際に用いる止着用治具に関するものである。
【０００２】
【従来の技術】
従来、釣り針と釣り糸を止着する際には、一方の指で釣り針の基端部に釣り糸を沿わせて保持し、他方の指で結束糸を釣り針の基端部及び釣り糸に多数回巻き付けて釣り糸に釣り針を止着する方法がある。この方法は、熟練を要するため、従来釣り針の先端部を支持板に装着した挟着板により挟着保持した状態で釣り糸を釣り針の基端部に沿わせて結束糸により止着するための止着用治具が提案されている。
【０００３】
【発明が解決しようとする課題】
上記の挟着板を用いた釣り針と釣り糸の止着用治具は、釣り糸に１つのみの釣り針を止着する際には問題がない。ところが、釣り糸に対し複数の釣り針を所定間隔をおいて、かつ取り付け姿勢を同じにするいわゆるヤナギ針としたり、相違させる散らし針としたりする場合には、既に釣り糸に止着された釣り針あるいは釣り糸の姿勢を保持することができない。このため、複数のヤナギ針あるいは散らし針の取付け状態が適正にならいという問題があった。
【０００４】
散らし針においては、釣り糸の中心線のまわりでの釣り針の取付け位相が同じになると、散らし針としての機能が低下し、釣りの成果も上がらないという問題がある。
【０００５】
この発明は上記従来の技術に存する問題点を解消して、釣り糸に対し複数の釣り針を所定間隔をおいて止着する際、釣り糸の中心線の周りでの複数の釣り針の取付け位相を所望する位相に容易に設定して止着することができる釣り針と釣り糸の止着用治具を提供することにある。
【０００６】
【課題を解決するための手段】
上記問題点を解決するために、請求項１に記載の発明は、釣り針を保持する釣り針保持具と、釣り糸を保持する釣り糸保持具とを備え、前記釣り針の針先及び中間部を挿入して保持する平面状のスリットを備えた一対の挟着板により前記釣り針保持具を構成し、前記釣り糸を挟入することにより弾性変形される一対の板材又は棒材よりなる釣り糸挟着片により前記釣り糸保持具を構成し、前記挟着板のスリットの延長平面上に前記両釣り糸挟着片を位置させたことを要旨とする。
【００１３】
請求項２に記載の発明は、請求項１において、前記両挟着板と両釣り糸挟着片は、支持板に対し支柱及び軸受を介して回転可能に支持された回転軸に支持されていることを要旨とする。
【００１４】
【発明の実施の形態】
以下、この発明を具体化した一実施形態を図１〜図８に基づいて説明する。
図３に示すように支持板１１の中央部に形成したネジ孔１１ａにはボルト１２が上向きに螺合されている。支持板１１の上面中央部には連結板１３が支持され、その下端部には係合凹部１３ａが形成されている。前記連結板１３の中央部に縦方向に形成した挿通孔１３ｂには前記ボルト１２が貫通され、蝶ナット１４をボルト１２の上端部に螺合することにより支持板１１と連結板１３を連結している。前記蝶ナット１４を緩めることにより支持板１１上で連結板１３をボルト１２を中心に水平方向に回動可能となっている。
【００１５】
前記連結板１３の両端部には板材よりなる第１及び第２支持アーム１５，１６がボルト１７と蝶ナット１８によって連結されている。前記蝶ナット１８を緩めることにより両支持アーム１５，１６の上下方向の回動が可能となり、所望する取付角度に締め付け固定される。
【００１６】
前記第１支持アーム１５の先端部にはネジ孔１５ａが形成され、該ネジ孔１５ａには頭部のない棒状の支持ボルト１９が中間部まで横向きに螺合されている。前記支持ボルト１９の一方のネジ部１９ａにはスリーブ２０が被嵌され、該スリーブ２０の外周面には釣り糸Ｙを挟着するための複数の挟着素子２１〜２３が軸方向の往復動可能に嵌合されている。前記支持ボルト１９の端部には操作つまみ２４が螺合され、該つまみ２４を回動することにより前記挟着素子２１〜２３を第１支持アーム１５との間で挟着可能である。
【００１７】
前記挟着素子２１〜２３には挿通孔２１ａ、２２ａ、２３ａが形成され、各挿通孔２１ａ〜２３ａには回動阻止ボルト２５が貫通され、該回動阻止ボルト２５の先端部は図４に示すように前記第１支持アーム１５に形成したネジ孔１５ｂに螺合されている。又、前記挟着素子２２の挿通孔２２ａは他の挟着素子２１及び２３の挿通孔２１ａ及び２３ａよりも大径に形成され、その挿通孔２２ａにはコイルバネ２６が収容されている。前記回動阻止ボルト２５の頭部は素子２３の挿通孔２３ａの外側面側に形成した大径の凹所に緩く嵌入されている。そして、操作つまみ２４を緩めると、前記コイルバネ２６により挟着素子２１、２３が互いに離隔されて各素子２１〜２３の間に釣り糸の挟着間隙が形成されるようにしている。
【００１８】
前記第２支持アーム１６の上端部にも図１に示すようにネジ孔１６ａ、１６ｂが形成され、前記支持ボルト１９、スリーブ２０、挟着素子２１〜２３、操作つまみ２４、回動阻止ボルト２５及びコイルバネ２６等と同様の部品が装着されている。
【００１９】
前記第１支持アーム１５の先端部の他側面には釣り針用の一対の挟着板２７，２８が取り付けられている。この挟着板２７，２８の基端部にはスペーサＳが介在されて溶接により連結されている。このスペーサＳにより両挟着板２７、２８の間に釣り針５１（５２）を収容して挟着し得る隙間ｇが形成されている。両挟着板２７，２８の中間部には前記支持ボルト１９の他方のネジ部１９ｂを挿通する取付孔２７ａ，２８ａが形成され、該取付孔２７ａ，２８ａの下方には前記第１支持アーム１５に立設した回動阻止ピン２９を挿入係止するための係止孔２７ｂ，２８ｂが形成されている。前記挟着板２７，２８はステンレススチール等の弾性板材により形成され、支持ボルト１９の他方のネジ部１９ｂに螺合した操作つまみ３０により前記第１支持アーム１５との間で挟着板２７，２８が挟着されると、挟着板２７，２８の隙間ｇが減少され、釣り針５１（５２）を締め付け保持することができる。この隙間ｇは、釣り針５１（５２）の太さ変化に対応できるように例えば１ｍｍ〜１．５ｍｍに設定されている。
【００２０】
前記挟着板２７の側端面には取付パイプ３１が溶接により固定され、該取付パイプ３１内には釣り糸挟着ロッド３２，３３が挿入されている。前記釣り糸挟着ロッド３２，３３の上端部は釣り糸Ｙを案内するための屈曲部３２ａ，３３ａが形成されている。そして、両屈曲部３２ａ，３３ａにより形成されるＶ字状の案内部より釣り糸Ｙを釣り糸挟着ロッド３２，３３の間に挟入して釣り糸Ｙを圧着保持するようにしている。
【００２１】
次に、前記のように構成した釣り針と釣り糸の止着用治具について、その動作を図１、図５〜８により説明する。
最初に、釣り糸にハリス糸を接続する作業について説明する。
【００２２】
図１は治具全体の組立状態を示し、第１支持アーム１５側に装着した操作つまみ２４を締め付け解除方向に回動すると、コイルバネ２６により挟着素子２２から挟着素子２１と２３が離隔される。このため、挟着素子２１，２２又は２２、２３の間に隙間が形成される。この隙間に釣り糸Ｙの中間部を挿入し、再び前記操作つまみ２４を締め付け方向に回動し、挟着素子２１，２２又は２２、２３の隙間に釣り糸Ｙを締め付け固定する。
【００２３】
前記第２支持アーム１６の上端部にも挟着素子２１〜２３が装着されているので、釣り糸Ｙの中間部を挟着することができる。従って、釣り糸Ｙを２つの位置において挟着することにより、釣り糸Ｙを図１に示すように緊張状態に保持することができ、これにハリス糸を連結する作業を容易に行うことができる。
【００２４】
次に、前記挟着素子２１〜２３と無関係に、釣り糸Ｙに対し複数の釣り針５１、５２を止着する動作を説明する。
図４に示す前記挟着板２７，２８側の操作つまみ３０を締め付け解除方向に回動し、前記隙間ｇ内に図５に示すように釣り針５１の先端部を挿入して前記操作つまみ３０を締め付け方向に回動すると、釣り針５１が所定位置に締め付け保持される。このとき、釣り針５１の基端部５１ａが水平か斜め上方に指向するように設定する。
【００２５】
その後、図６に示すように、釣り針５１の基端部５１ａの外周面に対し別途用意した滑り止め用の糸ｔをコイル状に巻き付ける。さらに、釣り糸Ｙの先端部を前記基端部５１ａに巻着された滑り止め糸ｔに沿うように、かつ基端部５１ａと平行になるように沿わせる。この状態で、図７に示すように止着用の糸Ｐを釣り糸Ｙと巻着された滑り止め糸ｔとを締め付けるようにして多数回巻き付けて結束し、最後に瞬間接着剤により結束部を接着する。
【００２６】
以上のようにして、釣り糸Ｙに対する釣り針５１の止着作業が終了する。
その後、操作つまみ３０を緩めて釣り針５１を挟着板２７、２８の隙間ｇから取り外す。そして、図８に示すように、釣り針５１が上向きになるように釣り糸Ｙを前記釣り糸挟着ロッド３２，３３間に挿入保持する。この状態で前記挟着板２７，２８の先端部に別の釣り針５２を挟着し、その基端部５２ａに釣り糸Ｙの中間部を前述した方法により止着する。
【００２７】
図１に示す組立状態において、止着用治具を不使用状態に折りたたむ場合には、蝶ナット１４を緩めて連結板１３をボルト１２の周りで回動して支持板１１と連結板１３が並行になるように変位し、再び蝶ナット１４を締め付け方向に回動して支持板１１と連結板１３を平行状態で固定する。
【００２８】
次に、前記蝶ナット１８、１８を緩めて、両支持アーム１５，１６をボルト１７、１７を中心に前記連結板１３と平行になるまで回動し、再び蝶ナット１８を締め付け方向に回動して連結板１３と第１及び第２支持アーム１５、１６を締付固定する。すると図２に示すように全体が折り畳まれた状態となり、コンパクト化して収納を行なうことができる。
【００２９】
前記のように構成した止着用治具についてその効果を構成とともに列記する。
（１）前記実施形態では、一対の挟着板２７，２８の近傍に釣り糸挟着ロッド３２，３３を設けたので、釣り糸Ｙに止着した釣り針５１の姿勢を所望する姿勢に保持することができ、別の釣り針５２を釣り糸Ｙに止着する作業を行う際、釣り糸Ｙの中心線の周りでの釣り針５１に対する釣り針５２の取付位相を所望する位相に適正に設定することができる。
【００３０】
（２）前記実施形態では、支持アーム１６の上端部に釣り糸Ｙを挟着保持する挟着素子２１〜２３を設けたので、釣り糸Ｙを挟着素子２１〜２３と釣り糸挟着ロッド３２、３３との二箇所において緊張状態に保持し、既に取り付けた釣り針５１の姿勢を所望する姿勢に安定して保持することができる。
【００３１】
（３）前記実施形態では、釣り糸挟着ロッド３２，３３の弾性力により釣り糸Ｙを挟着保持するようにしたので、構造を簡素化し製造を容易に行なうことができる。
【００３２】
前記実施形態は、以下のように変更して具体化できる。
○  図９に示す別例は、前記支持板１１の上面に挟着板２７，２８を立設し、挟着ボルト３４を挟着板２７、２８に貫通してその先端部に操作つまみ３０を螺合し、操作つまみ３０を回動することにより隙間ｇ内に挿入された釣り針５１（５２）を挟着するようにしている。又、支持板１１の他端部側に前記釣り糸挟着ロッド３２，３３と同様の機能を有する釣り糸挟着板３２Ａ及び３３Ａを立設している。
【００３３】
上記の別例では、部品点数を少なくして構造を簡素化し、製造を容易に行いコストを低減することができる。
【００３８】
○  図１０に示す実施形態は、支持板１１の上面に支柱４２を立設して軸受４３を設け、該軸受４３に回転軸４４を横向きに支持する。この回転軸４４の先端部に挟着板２７、２８を取り付けるとともに糸挟着ロッド３２（３３）を止着する。そして、釣り針５２の基端部５２ａが回転軸４４の回転軸線の延長上に位置した状態で、回転軸４４の基端部に連結した操作ハンドル４５を回動すると、挟着板２７、２８に挟着された釣り針５１（又は５２）が回転され、その基端部５１ａ（又は５２ａ）の外周に滑り止め用の糸ｔや止着用の糸Ｐが迅速に巻着される。
【００３９】
上記の別例において、図示しないが糸挟着ロッド３２、３３に代えて、回転軸４４上に釣り針を係止する挟着板やスリット等の釣り針保持部を設けてもよい。
○  図示しないが、前記釣り糸挟着ロッド３２，３３をその基端部を中心に上下方向の回動位置調節可能に装着してもよい。
【００４０】
○  図示しないが、釣り針保持具又は釣り糸保持具を、支持板に対し取付位置の調節可能に支持したり、複数の釣り針保持具の取付位置をそれぞれ変更するようにしたり、釣り針保持具又は釣り糸保持具の取付角度を変更可能にしたりしてもよい。
【００４１】
【発明の効果】
以上詳述したように、請求項１記載の発明は、釣り糸に対し複数の釣り針を所定間隔を置いてかつ釣り糸の周りでの取り付け位相を所望する位相に適正に容易に止着することができる。
【００４６】
請求項２記載の発明は、釣り針の基端部への滑り止め糸や結束糸の巻着を容易に行うことができる。
【図面の簡単な説明】
【図１】  この発明を具体化した釣り針と釣り糸の止着用治具を示す斜視図。
【図２】  不使用状態に折り畳んだ状態を示す正面図。
【図３】  止着用治具の分解斜視図。
【図４】  要部の拡大断面図。
【図５】  止着方法を説明する部分正面図。
【図６】  止着方法を説明する部分正面図。
【図７】  止着方法を説明する部分正面図。
【図８】  止着方法を説明する部分正面図。
【図９】  この発明の別例を示す斜視図。
【図１０】  この発明の別例を示す正面図。
【符号の説明】
１１…支持板、２７，２８…挟着板、３０…操作つまみ、３１…取付パイプ、３２，３３…釣り糸挟着ロッド、３６…釣り針保持具、３６ａ…スリット。
【図１】
0004065094.tif 000002
【図２】
0004065094.tif 000003
【図３】
0004065094.tif 000004
【図４】
0004065094.tif 000005
【図５】
0004065094.tif 000006
【図６】
0004065094.tif 000007
【図７】
0004065094.tif 000008
【図８】
0004065094.tif 000009
【図９】
0004065094.tif 000010
【図１０】
0004065094.tif 000011